(57)【要約】【課題】本発明は、ＨＤＤなどの発熱部品から発生した熱を効率良く放熱させ、発熱部品の交換時には容易に交換することが可能な放熱構造を提供することを目的とする。【解決手段】本発明による放熱構造は、ＨＤＤ６を内蔵する映像機器の放熱構造であって、映像機器は、画像表示パネル２の裏面側に着脱可能にＨＤＤ６が設置された映像機器本体１と、映像機器本体１の裏面全体を覆い、上部に上部通風孔を設け、ＨＤＤ６の設置位置に対応する箇所に開口部を形成した背面カバー４と、開口部を覆い吸気通風孔を設けたＨＤＤ交換用蓋５と、映像機器本体１、背面カバー４、およびＨＤＤ交換用蓋５の各々を組み立てた時、ＨＤＤ６の左右両側の各々に上下方向に延在する隔壁（８ａ、８ｂ、１２ａ、１２ｂ）とを備え、隔壁（８ａ、８ｂ、１２ａ、１２ｂ）によって吸気通風孔から上部通風孔に至る、ＨＤＤ６が他の部品と隔離された風路が形成されることを特徴とする。【選択図】図４
2011061505.tif 000002
【特許請求の範囲】
【請求項１】
発熱部品を内蔵する映像機器の放熱構造であって、
前記映像機器は、
表示パネルの裏面側に着脱可能に前記発熱部品が設置された本体部と、
前記本体部の裏面全体を覆い、上部に上部通風孔を設け、前記発熱部品の設置位置に対応する箇所に開口部を形成した背面カバーと、
前記開口部を覆い吸気通風孔を設けた蓋と、
前記本体、前記背面カバー、および前記蓋の各々を組み立てた時、前記発熱部品の左右両側の各々に上下方向に延在する隔壁と、
を備え、
前記隔壁によって前記吸気通風孔から前記上部通風孔に至る、前記発熱部品が他の部品と隔離された風路が形成されることを特徴とする、放熱構造。
【請求項２】
前記映像機器は、当該映像機器を設置するためのスタンドをさらに備え、
前記発熱部品は、前記本体部の中央から下部側であって前記スタンド付近に配置されることを特徴とする、請求項１に記載の放熱構造。
【請求項３】
前記隔壁は、
前記背面カバーに設けられた第１の隔壁と、
前記第１の隔壁と連続するように前記本体部に設けられた第２の隔壁と、
を備えることを特徴とする、請求項１に記載の放熱構造。
【請求項４】
前記第２の隔壁は、前記本体部に設置された板金を折り曲げて形成されることを特徴とする、請求項３に記載の放熱構造。
【請求項５】
前記背面カバーは、各前記第２の隔壁と接するようにリブを設けることを特徴とする、請求項３に記載の放熱構造。
【請求項６】
前記背面カバーは、前記第１の隔壁を左右方向につなぐ通気可能な壁を設けることを特徴とする、請求項３に記載の放熱構造。
【請求項７】
前記蓋は、前記開口部と対向する第１の面と、前記第１の面の下辺において当該第１の面と垂直方向の第２の面とからなるＬ字形状であり、少なくとも前記第２の面に前記通風孔が形成されていることを特徴とする、請求項１に記載の放熱構造。
【請求項８】
前記蓋の前記開口部と対向する面は、前記背面カバーの背面側の面と同一平面であることを特徴とする、請求項１または７に記載の放熱構造。
【発明の詳細な説明】
【技術分野】
【０００１】
本発明は、発熱部品を内蔵する映像機器の放熱構造に関する。
【背景技術】
【０００２】
従来におけるＨＤＤ（Ｈａｒｄ  Ｄｉｓｋ  Ｄｒｉｖｅ）などの発熱部品を内蔵した映像機器などの放熱構造は、背面カバー内に発熱量が大きい発熱部品や他の部品を収納しており、背面カバーの底部や下部に設けられた通風孔から外気（冷気）を導入して発熱量が大きい発熱部品や他の部品を冷却した後に、背面カバーの天面や上部に設けられた通風孔から熱気を排出する構造であった。また、背面カバーに凸形状を形成して発熱部品専用の収納スペースを設け、ファンによって強制冷却する構造もあった。
【０００３】
しかし、上記前者の構造では、発熱量が大きいため最も冷却が必要な発熱部品に空気が到達するまでの間に、他の電子回路部品などの発熱部品によって空気が温められ、最も冷却が必要な発熱部品に空気が到達する頃には空気の温度が高くなってしまうため、冷却効率が低下するという問題があった。また、上記後者の構造では、背面カバーが平坦でなくなり、またファンを別途に設ける必要がある。
【０００４】
このような問題の対策として、発熱量の大きな発熱部品を、中空部材であり通風路が設けられたスタンド支柱の上部であって、スタンド支柱と隔壁板とで形成された風路中に配置することにより、自然対流による煙突効果によって発熱量の大きな部品を冷却する放熱構造がある（例えば、特許文献１参照）。
【０００５】
また、ＨＤＤなどの発熱部品は他の部品に比べて故障しやすいため、発熱部品の交換の容易性が要求されている。例えば、筐体内にスライド構造を備えた収納部を設けてＨＤＤを収容し、ＨＤＤの故障など交換が必要なときには、筐体前面から前方へ収納部をスライド移動して引き出すことによって容易にＨＤＤを交換することが可能な構造が開示されている（例えば、特許文献２参照）。
【先行技術文献】
【特許文献】
【０００６】
【特許文献１】特開２００８−４０４２４号公報（第４−７頁、第３、７図）
【特許文献２】特開２００２−２３８００８号公報（第１頁、第１図）
【発明の概要】
【発明が解決しようとする課題】
【０００７】
特許文献１に記載の放熱構造では、スタンド支柱は中空であり通風孔を設けているため、強度の低下が問題となり、通風孔を設けているため外観的に見た目が悪くなりやすくなるという問題がある。また、細くて短いスタンド支柱が要求される場合は、スタンド支柱に形成される通風孔の開口率が小さくなるという問題がある。さらに、ＨＤＤなどの発熱部品の交換時には、背面カバーを開ける（取り外す）必要があるという問題がある。
【０００８】
また、特許文献２に記載の構造では、ＨＤＤはスライド構造を備えた収納部に収容されているため交換が容易であるが、収納部内は自然対流が発生しにくく熱がこもりやすくなるという問題がある。また、当該熱をファンによって強制的に冷却する場合では、ファンによる騒音や塵埃の問題が生じるとともにコストアップの要因にもなってしまう。
【０００９】
本発明は、これらの問題を解決するためになされたものであり、ＨＤＤなどの発熱部品から発生した熱を効率良く放熱させ、発熱部品の交換時には容易に交換することが可能な放熱構造を提供することを目的とする。
【課題を解決するための手段】
【００１０】
上記の課題を解決するために、本発明による放熱構造は、発熱部品を内蔵する映像機器の放熱構造であって、映像機器は、表示パネルの裏面側に着脱可能に発熱部品が設置された本体部と、本体部の裏面全体を覆い、上部に上部通風孔を設け、発熱部品の設置位置に対応する箇所に開口部を形成した背面カバーと、開口部を覆い吸気通風孔を設けた蓋と、本体、背面カバー、および蓋の各々を組み立てた時、発熱部品の左右両側の各々に上下方向に延在する隔壁とを備え、隔壁によって吸気通風孔から上部通風孔に至る、発熱部品が他の部品と隔離された風路が形成されることを特徴とする。
【発明の効果】
【００１１】
本発明によると、本体部の裏面全体を覆い、上部に上部通風孔を設け、発熱部品の設置位置に対応する箇所に開口部を形成した背面カバーと、開口部を覆い吸気通風孔を設けた蓋と、本体、背面カバー、および蓋の各々を組み立てた時、発熱部品の左右両側の各々に上下方向に延在する隔壁とを備え、隔壁によって吸気通風孔から上部通風孔に至る、発熱部品が他の部品と隔離された風路が形成されるため、ＨＤＤなどの発熱部品から発生した熱を効率良く放熱させ、発熱部品の交換時には容易に交換することが可能となる。
【図面の簡単な説明】
【００１２】
【図１】本発明の実施形態による映像機器全体を斜め前方から見た外観斜視図である。
【図２】本発明の実施形態による映像機器全体を斜め後方から見た外観斜視図である。
【図３】本発明の実施形態による映像機器全体を後方から見た外観図である。
【図４】本発明の実施形態による映像機器全体を斜め下方から見た分解立体図である。
【図５】本発明の実施形態による映像機器全体を斜め前方から見た分解立体図である。
【図６】本発明の実施形態による映像機器の中央の縦断面を示す図である。
【発明を実施するための形態】
【００１３】
本発明の実施形態について、図面を用いて以下に説明する。
【００１４】
図１は、本発明の実施形態による映像機器全体を斜め前方から見た外観斜視図であり、図２は、映像機器全体を斜め後方から見た外観斜視図である。図１および図２に示すように、画像表示パネル２を有する映像機器本体１（本体部）はスタンド３上に設置されており、画像表示パネル２の裏面は背面カバー４によって覆われている。また、背面カバー４の一部には、ＨＤＤ（発熱部品）交換用のＨＤＤ交換用蓋５（蓋）が設けられている。
【００１５】
図３は、本発明の実施形態による映像機器全体を後方から見た外観図であり、図４は、映像機器全体を斜め下方から見た分解立体図である。また、図５は、映像機器全体を斜め前方から見た分解立体図である。
【００１６】
なお、図３は、背面カバー４からＨＤＤ交換用蓋５を取り外した状態を示しており、画像表示パネル２の裏面側に着脱可能にＨＤＤ６が設置される。また、背面カバー４は、映像機器本体１の裏面全体を覆い、上部に上部通風孔を設け、ＨＤＤ６の設置位置に対応する箇所に開口部を形成している。ＨＤＤ交換用蓋５は通風孔（吸気通風孔）を設けており、背面カバー４の開口部を覆うように設置される。なお、本実施形態では各通風孔は、図示のように、等長の線状孔が多数並列に配列されて形成されている。
【００１７】
図３および図４に示すように、背面カバー４の中央の下部付近はＨＤＤ６を配置するために前記開口部が開口した凹形状１２となっている。凹形状１２の垂直方向（映像機器設置時の上下方向）の両側には立ち壁１２ａ、１２ｂ（第１の隔壁）が平行して形成され、立ち壁１２ａ、１２ｂの上部の左右方向には通気可能な（すなわち通風孔が設けられた）上壁１２ｃ（壁）が形成されている。また、立ち壁１２ａにはネジボス１１ａ、１１ｃが、立ち壁１２ｂにはネジボス１１ｂ、１１ｄがそれぞれ形成されている。さらに、凹形状１２の上部には穴４ａ〜４ｃが、下部には穴４ｄ〜４ｆがそれぞれ形成されている。
【００１８】
ＨＤＤ交換用蓋５には、引っ掛けリブ５ａ〜５ｃおよびスナップフィット５ｄ〜５ｆを形成しており、引っ掛けリブ５ａ〜５ｃを穴４ａ〜４ｃにそれぞれ嵌合させるとともに、スナップフィット５ｄ〜５ｆを穴４ｄ〜４ｆにそれぞれ嵌合させることによって、ＨＤＤ交換用蓋５が背面カバー４に位置決めされる。当該位置決めの後、ＨＤＤ交換用蓋５に形成されたネジ締結部位１０ａ〜１０ｄとネジボス１１ａ〜１１ｄとをネジ止めすることによって、ＨＤＤ交換用蓋５が背面カバー４に固定される。また、ＨＤＤ交換用蓋５は、背面カバー４の開口部と対向する面（第１の面）と、第１の面の下辺において当該第１の面と垂直方向の面（第２の面）とからなるＬ字形状であり、少なくとも第２の面に（本実施形態では第１、第２の面の両方に）通風孔が形成されている。
【００１９】
なお、ＨＤＤ交換用蓋５の裏面側（外側）の面は、背面カバー４の裏面側（外側）の面と同一平面としてもよい。すなわち、ＨＤＤ交換用蓋５の開口部と対向する面は、背面カバー４の背面側の面と同一平面としてもよい。当該同一面とすることによって、映像機器本体１の裏面全体がフラットとなり、映像機器本体１を壁掛けして設置することが可能となる。
【００２０】
ＨＤＤ６は、ＨＤＤ保持板金７によって保持されている。また、ＨＤＤ保持板金７は、映像機器本体１が有する基板保持用構造板金８に形成された切り起こし８ｃ、８ｄに引っ掛けた後に、ネジ締結部位９ａ〜９ｄと基板保持用構造板金８とをネジ止めすることによって固定される。このとき、ＨＤＤ６と基板保持用構造板金８との間、およびＨＤＤ６と背面カバー４との間には所定の間隔で空間が確保されている。
【００２１】
図４に示すように、映像機器本体１の裏面の中央の上部には、立ち壁１２ａ、１２ｂ（第１の隔壁）のそれぞれと連続するように、立ち壁８ａ、８ｂ（第２の隔壁）が基板保持用構造板金８（板金）を折り曲げて形成されている。また、立ち壁８ａ、８ｂの背面カバー４側には、バーリング穴８ｅ、８ｆがそれぞれ形成されている。
【００２２】
図５に示すように、背面カバー４の上部側には、立ち壁１２ａと連続するように風路用リブ４ｉが、立ち壁１２ｂと連続するように風路用リブ４ｊがそれぞれ形成されている。背面カバー４の装着の際において、ネジ締結部位４ｇ、４ｈとバーリング穴８ｅ、８ｆとがネジ止めによって固定されるが、このとき、風路用リブ４ｉ、４ｊと立ち壁８ａ、８ｂとは接した状態で保持される。
【００２３】
ここで、ＨＤＤの配置および交換方法について説明する。図３および図４に示すように、ＨＤＤ６は、映像機器本体１の中央から下部側であってスタンド３付近に配置されている。当該配置位置は、外部からの衝撃を最も受けにくい安定した位置である。また、ＨＤＤ６以外の他の発熱部品からの影響も受けにくい位置でもある。さらに、ＨＤＤ６を映像機器本体１の下部に配置しているため、ＨＤＤ６の発熱による熱気を、映像機器本体１の下部においてＨＤＤ交換用蓋５に設けられた通気孔から導入された外気（冷気）によって、映像機器本体１の上部に設けられた通気孔から排出しやすくなる（ＨＤＤ６の冷却効率が向上する）。
【００２４】
ＨＤＤ６の交換方法は、ＨＤＤ交換用蓋５をネジ締結部位１０ａ〜１０ｄからネジを取り外し、スナップフィット５ｄ〜５ｆを穴４ｄ〜４ｆから外し、引っ掛けリブ５ａ〜５ｃを穴４ａ〜４ｃから外すことによって、ＨＤＤ交換用蓋５を背面カバー４から取り外す。その後、ネジ締結部位９ａ〜９ｄからネジを取り外し、ＨＤＤ保持板金７を切り起こし８ｃ、８ｄから外すことによって、ＨＤＤ保持板金７によって保持されたＨＤＤ６を基板保持用構造板金８から取り外す。このように、ＨＤＤ６は、背面カバー４が映像機器本体１に取り付けられた状態で容易に交換可能となる。
【００２５】
次に、ＨＤＤ６の放熱構造について説明する。図４および図５に示すように、ＨＤＤ６の両側には、背面カバー４に設けられた凹形状１２の立ち壁１２ａ、１２ｂ（第１の隔壁）が配置されて風路を形成している。また、映像機器本体１の上部側には、基板保持用構造板金８を折り曲げて形成した立ち壁８ａ、８ｂ（第２の隔壁）と、立ち壁８ａ、８ｂのそれぞれと接するように背面カバー８に一体形成された風路用リブ４ｉ、４ｊ（リブ）とによって風路が形成されている。立ち壁８ａ、８ｂは、背面カバー４に形成されたネジ締結部位４ｇ、４ｈと、立ち壁８ａ、８ｂに形成されたバーリング穴８ｅ、８ｆとをネジ止めして固定することによって、立ち壁８ａ、８ｂの折り曲げ強度が保たれて風路が崩れないようにしている。上壁１２ｃは、空気の流れを妨げないように通風孔を設けている。上記の構成によって、映像機器本体１、背面カバー４、およびＨＤＤ交換用蓋５の各々を組み立てた時、ＨＤＤ６の左右両側の各々に上下方向に延在する隔壁が形成され、当該隔壁によってＨＤＤ交換用蓋５の通風孔（吸気通風孔）から背面カバー４の上部通風孔に至る、ＨＤＤ６が他の部品と隔離された風路が形成されている。
【００２６】
図６は、本発明の実施形態による映像機器本体１の中央の縦断面を示す図である。図中の矢印は、空気の流れ（自然対流）を示している。なお、スタンド３の図示は省略している。図６に示すように、ＨＤＤ交換用蓋５の裏面（第１の面）側および底面（第２の面）側には通風孔が設けられており、当該通風孔から取り込まれた外気（冷気）は、ＨＤＤ６と背面カバー４との間およびＨＤＤ６と基板保持用構造板金８との間を通ってＨＤＤ６を冷却している。ＨＤＤ６を冷却した後の空気（熱気）は、上壁１２ｃに設けられた通風孔を通り抜け、立ち壁８ａ、８ｂ（図４）と風路用リブ４ｉ、４ｊ（図５）とによって形成された風路に沿って背面カバー４の上部通風孔から排出される（自然対流による煙突効果）。このように、空気の流れ（自然対流）は、映像機器本体１内の風路に沿って下部から上部へと生じているため、映像機器本体１を壁掛けして設置してもＨＤＤ６の冷却が可能となる。
【００２７】
以上のことから、映像機器本体１内に風路を形成し、当該風路にＨＤＤ６（発熱部品）を設置しているため、ＨＤＤ６から発生した熱を効率良く放熱させることが可能となる。また、ＨＤＤ６はＨＤＤ交換用蓋５を取り外すことによって交換可能であるため、背面カバー４を取り外すことなく容易にＨＤＤ６を交換することが可能となる。
【符号の説明】
【００２８】
１  映像機器本体、２  画像表示パネル、３  スタンド、４  背面カバー、４ａ〜４  穴、４ｇ，４ｈ  ネジ締結部位、４ｉ，４ｊ  風路用リブ、５  ＨＤＤ交換用蓋、５ａ〜５ｃ  引っ掛けリブ、５ｄ〜５ｆ  スナップフィット、６  ＨＤＤ、７  ＨＤＤ保持板金、８  基板保持用構造板金、８ａ，８ｂ  立ち壁、８ｃ，８ｄ  切り起こし、８ｅ，８ｆ  バーリング穴、９ａ〜９ｄ  ネジ締結部位、１０ａ〜１０ｄ  ネジ締結部位、１１ａ〜１１ｄ  ネジボス、１２  凹形状、１２ａ，１２ｂ  立ち壁、１２ｃ  上壁。
【図１】
2011061505.tif 000003
【図２】
2011061505.tif 000004
【図３】
2011061505.tif 000005
【図４】
2011061505.tif 000006
【図５】
2011061505.tif 000007
【図６】
2011061505.tif 000008